(57)【特許請求の範囲】
【請求項１】
機械のバケットを持ち上げ、作動させるためのリフトアーム・リンク機構において、前記機械は中心線を有しており、
前記機構は、第１と第２のリフトアーム集成体、すなわち、互いに離間配置され、機械に連結するように形成された第１の端部と、バケットに連結するように形成された第２の端部とを有する第１と第２のリフトアーム集成体と、
前記第１と第２のリフトアーム集成体の各々と協働する第１と第２のリンク集成体であって、前記第１と第２のリフトアーム集成体の各々の第１の端部に連結された第１の端部と、前記バケットに連結されるように形成された第２の端部とを有し、前記中心線に対して概ね平行に設けられた第１と第２のリンク集成体とを具備して成り、
前記第１と第２のリフトアーム集成体が、前記中心線に沿って前記機械に関して前方へ拡開しているリフトアーム・リンク機構。
【請求項２】
前記第１と第２のリンク集成体の各々は、前記バケットに連結されるように形成された第１の複式ブラケットと、前記第１と第２のリフトアーム集成体に連結された第２の複式ブラケットと、前記第１と第２の複式ブラケットの間に連結された流体シリンダとを具備する請求項１に記載のリフトアーム・リンク機構。
【請求項３】
前記機構が、更に、前記第１のリフトアーム集成体と前記第１のリンク集成体の間に連結された第１の案内単リンクと、前記第２のリフトアーム集成体と前記第２のリンク集成体の間に連結された第２の案内単リンクとを具備する請求項１に記載のリフトアーム・リンク機構。
【請求項４】
前記第１と第２の案内単リンクは、前記第１と第２のリフトアーム集成体の第２の端部に隣接、配置されている請求項３に記載のリフトアーム・リンク機構。
【請求項５】
前記第１と第２のリンク集成体の各々は、前記バケットに連結されるように形成された第１の複式ブラケットを具備しており、前記第１と第２の案内単リンクが、前記第１と第２のリフトアーム集成体と前記第１の複式ブラケットの各々の間に連結されている請求項３に記載のリフトアーム・リンク機構。
【請求項６】
前記第１と第２のリフトアーム集成体の各々は前方梁部を具備し、該前方梁部は内側部と外側部とを有しており、前記第１と第２の案内単リンクが前記各内側部に連結されている請求項５に記載のリフトアーム・リンク機構。
【請求項７】
前記第１の複式ブラケットの各々は、第１と第２の端部と中間部とを有しており、該第１の端部は前記バケットに連結されるように形成され、前記第１と第２の案内単リンクが前記第１の複式ブラケットの各々の中間部に連結されている請求項５に記載のリフトアーム・リンク機構。
【請求項８】
更に、前記第１と第２のリフトアーム集成体の各々に連結された第２の複式ブラケットと、前記第１の複式ブラケットと前記第２の複式ブラケットとの間に連結された流体シリンダとを具備する請求項７に記載のリフトアーム・リンク機構。
【請求項９】
更に、前記第１のリフトアーム集成体を前記第２のリフトアーム集成体に連結する横断梁を具備する請求項１に記載のリフトアーム・リンク機構。
【請求項１０】
前記第１と第２のリフトアーム集成体の各々を前記機械に連結する連結リンクを具備する請求項３に記載のリフトアーム・リンク機構。
【請求項１１】
前記バケットが、第１と第２と第３と第４のブラケットを有しており、前記第１のリフトアーム集成体の第２の端部が前記第１と第２のブラケットの間に配置されるように形成されており、前記第２のリフトアーム集成体の第２の端部が前記第３と第４のブラケットの間に配置されるように形成されており、前記第１の複式ブラケットの第１の端部が前記第２と第３のブラケット上に跨設されるように形成されている請求項１に記載のリフトアーム・リンク機構。
【請求項１２】
機械のバケットを持ち上げ、操作するためのリフトアーム・リンク機構において、前記機械は中心線を有しており、
前記機構は、第１と第２のリフトアーム集成体、すなわち、互いに離間配置され、機械に連結するように形成された第１の端部と、バケットに連結するように形成された第２の端部とを有する第１と第２のリフトアーム集成体と、
前記第１と第２のリフトアーム集成体の各々と協働する第１と第２のリンク集成体であって、該第１と第２のリンク集成体は、前記第１と第２のリフトアーム集成体の各々の第１の端部に連結された第１の端部と、前記バケットに連結されるように形成された第２の端部とを有し、該第１と第２のリフトアーム集成体が、前記中心線に沿って前記機械に関して前方へ拡開して成る第１と第２のリンク集成体と、を具備して成り、
前記第１と第２のリフトアーム集成体の各々の第１の端部が所定の第１の距離（ｄ）を以て互いに離間しており、前記第１と第２のリフトアーム集成体の各々の第２の端部が所定の第２の距離（Ｄ）を以て互いに離間しており、前記第１の距離（ｄ）が前記第２の距離（Ｄ）よりも小さくなるようにしたリフトアーム・リンク機構。
【請求項１３】
前記第２の距離（Ｄ）が前記第１の距離（ｄ）よりも少なくとも１５％大きい請求項１２に記載のリフトアーム・リンク機構。
【請求項１４】
前記第１と第２のリンク集成体の各々は、前記第１と第２のリンク集成体の各々と、前記第１と第２のリフトアーム集成体の各々の間に連結された案内単プレートを具備している請求項１２に記載のリフトアーム・リンク機構。
【請求項１５】
前記第１と第２のリンク集成体の各々の案内単プレートが、前記第１と第２のリンク集成体の各々に対して概ね中心に配置され、かつ、前記第１と第２のリフトアーム集成体の各々に対してオフセットされている請求項１４に記載のリフトアーム・リンク機構。
【請求項１６】
更に、前記第１のリフトアーム集成体を前記第２のリフトアーム集成体に連結する横断梁を具備する請求項１２に記載のリフトアーム・リンク機構。
【請求項１７】
前記第１と第２のリンク集成体の各々が、前記バケットに連結されるように形成された第１の複式ブラケットと、前記第１と第２のリフトアーム集成体の一方に連結された第２の複式ブラケットと、前記第１の複式ブラケットと前記第２の複式ブラケットとの間に連結された流体シリンダとを具備する請求項１２に記載のリフトアーム・リンク機構。
【発明の詳細な説明】
【０００１】
【発明の属する技術分野】
本発明は、作業機械の例えばバケット等の作業具のためのリフトアーム・リンク機構に関し、特に、作業機械の操作者から作業具の可視領域を広くする構成に関する。
【０００２】
【従来の技術】
バックホーローダ、トラックローダ、ホイールローダ等の作業機械は、物を取り扱うバケットを有している。バケットは種々の作業機能を果たすために作業機械の一端側に連結されている。上記作業機能には、貯蔵された物をトラックに積み込んだり、物を埋めたり、廃棄物処理現場へ物を移送したり、建設現場からバラの資材を除去または移送することが含まれる。バックホーローダ等の小型の作業機械は非常に多機能であり、しばしば、小規模の土建業者や機器所有者により使用され種々の作業機能を果たす。こうした機械は、しばしば既存の建造物や新築された建造物の近傍で使用され、操作者には近くの建造物を傷つけないように熟練した操作が要求される。
【０００３】
【発明が解決しようとする課題】
バケットにより物を清掃し或いは隣接する構造物に積み込む場合に、操作者がバケットの外側の先端または角を見ることは困難である。これは、バケットを作業機械に連結し作動させるアーム・リンク機構の配置および構成に問題があるためである。このアーム・リンク機構により、しばしばバケットの外側の先端または角への操作者の視界が塞がれる。
本発明は、こうした従来技術の問題を解決することを技術課題としている。
【０００４】
【課題を解決するための手段】
請求項１に記載の本発明は、機械のバケットを持ち上げ、作動させるためのリフトアーム・リンク機構において、前記機械は中心線を有しており、前記機構は、第１と第２のリフトアーム集成体、すなわち、互いに離間配置され、機械に連結するように形成された第１の端部と、バケットに連結するように形成された第２の端部とを有する第１と第２のリフトアーム集成体と、前記第１と第２のリフトアーム集成体の各々と協働する第１と第２のリンク集成体であって、前記第１と第２のリフトアーム集成体の各々の第１の端部に連結された第１の端部と、前記バケットに連結されるように形成された第２の端部とを有し、前記中心線に対して概ね平行に設けられた第１と第２のリンク集成体とを具備して成り、前記第１と第２のリフトアーム集成体が、前記中心線に沿って前記機械に関して前方へ拡開しているリフトアーム・リンク機構を要旨とする。
更に、本発明の他の特徴によれば、機械のバケットを持ち上げ、操作するためのリフトアーム・リンク機構において、前記機械は中心線を有しており、前記機構は、第１と第２のリフトアーム集成体、すなわち、互いに離間配置され、機械に連結するように形成された第１の端部と、バケットに連結するように形成された第２の端部とを有する第１と第２のリフトアーム集成体と、前記第１と第２のリフトアーム集成体の各々と協働する第１と第２のリンク集成体であって、該第１と第２のリンク集成体は、前記第１と第２のリフトアーム集成体の各々の第１の端部に連結された第１の端部と、前記バケットに連結されるように形成された第２の端部とを有し、該第１と第２のリフトアーム集成体が、前記中心線に沿って前記機械に関して前方へ拡開して成る第１と第２のリンク集成体と、を具備して成り、前記第１と第２のリフトアーム集成体の各々の第１の端部が所定の第１の距離（ｄ）を以て互いに離間しており、前記第１と第２のリフトアーム集成体の各々の第２の端部が所定の第２の距離（Ｄ）を以て互いに離間しており、前記第１の距離（ｄ）が前記第２の距離（Ｄ）よりも小さくなるようにしたリフトアーム・リンク機構が提供される。
【０００５】
小型の作業機械、例えば、バックホーローダやホイールローダは、多機能で容易に操作されるので、小規模の建設現場や作業現場で広範に使用されている。小規模の建設現場や作業現場は、立て込んでおり既存の建造物や新築の建造物に接近している。既存の建造物を傷つけないように、操作者はバケットを持ち上げたり操作するときに非常に卓越した技術が必要となる。バケットの角や先端への良好な視界が確保されることは、既存の建造物に接触することなく該建造物に接近して作業する機械の操作者を補助することとなる。
【０００６】
本発明の主題によるリフトアーム・リンク機構は、機械の近傍にて狭くなりバケットの近傍で広くなっているリフトアームを有しているで、機械の操作者がバケットの角を目視することが可能となる。
【０００７】
【発明の実施の形態】
以下、添付図面を参照して本発明の好ましい実施形態を説明する。
作業機械１４の作業具、例えばバケット１２を作動させるリフトアーム・リンク機構１０は、第１と第２のリフトアーム集成体１６、１８を具備している。第１と第２のリフトアーム１６、１８は互いに離間配置されると共に、前方梁部２０と後方梁部２２とを有している。第１と第２のリフトアーム１６、１８の各々は第１の端部２４と第２の端部２６とを有している。第１の端部２４は作業機械１４に連結され、第２の端部２６はバケット１２に連結される。更に、リフトアーム・リンク機構１０は第１と第２のリンク集成体２８、３０を具備している。第１と第２のリンク集成体２８、３０は互いに離間配置されると共に、第１と第２のリフトアーム集成体１６、１８の各々と協働する。第１と第２のリンク集成体２８、３０は、第１の端部３２と第２の端部３４とを有している。第１の端部３２は第１と第２のリフトアーム集成体１６、１８の各々の第１の端部２４に連結されている。第２の端部３４はバケット１２に連結される。作業機械１４は、中心線３６を有しており、第１と第２のリンク集成体２８、３０は該中心線３６に概ね平行に配設されており、第１と第２のリフトアーム集成体１６、１８は中心線３６に平行には配設されていない。
【０００８】
第１と第２のリフトアーム集成体１６、１８は中心線に対して拡開している。第１と第２のリフトアーム集成体１６、１８の第１の端部２４は、所定の第１の距離（ｄ）を以て互いに離間しており、第２の端部２６は所定の第２の距離（Ｄ）を以て互いに離間している。第１の距離（ｄ）は実質的に第２の距離（Ｄ）よりも短くなっている。実際的には第２の距離（Ｄ）は第１の距離（ｄ）よりも約１５％長くなっている。
【０００９】
第１と第２のリンク集成体２８、３０の各々は、第１と第２の複式ブラケット３８、４０と、流体シリンダ４２とを具備している。第１の複式ブラケット３８がバケット１２に連結されており、第２の複式ブラケット４０が第１と第２のリフトアーム集成体１６、１８の後方梁部２２に連結されている。流体シリンダ４２は、第１と第２の複式ブラケット３８、４０の間に連結されている。第１の複式ブラケット３８の各々は、第１と第２の端部４４、４６と、中間部４８とを有している。第１の端部４４は部１２に連結され、第２の端部４６が流体シリンダ４２に連結されている。横断梁５０が第１のリフトアーム集成体１６を第２のリフトアーム集成体１８に連結している。
【００１０】
第１の案内リンク５２が第１のリフトアーム集成体１６を第１のリンク集成体２８に連結している。第２の案内リンク５４が第２のリフトアーム集成体１８を第２のリンク集成体３０に連結している。第１と第２の案内リンク５２、５４は、第１と第２のリフトアーム集成体１６、１８の第２の端部２６、３４に隣接配置され、かつ、該第２の端部２６、３４および第２のリンク集成体２８、３０に連結されている。案内リンク５２、５４は、第１の複式ブラケット３８の中間部４８と、第１と第２のリフトアーム集成体１６、１８の各々との間に連結されている。第１と第２のリフトアーム集成体１６、１８の各々の前方梁部２０は、内側部５６と外側部５８を有しており、第１と第２の案内リンク５２、５４は、各内側部５５に連結されている。こうして、第１と第２１のリンク集成体２８、３０の第１と第２の案内リンク５２、５４は、第１と第２のリンク集成体２８、３０の各々に対して概ね中心に配置され、かつ、第１と第２のリフトアーム集成体１６、１８に対してはオフセットされる。
【００１１】
第１と第２のリフトシリンダ５７、５９が、作業機械１４と第１と第２のリフトアーム集成体１６、１８の各々の間に連結されている。各第２の複式ブラケット４０は、第１と第２の端部６０、６２と、中間部６４とを有している。流体シリンダ４２は、各第２の複式ブラケット４０の第２の端部６２に連結され、中間部６４は第１と第２のリフトアーム集成体１６、１８の後方梁部２２に連結されている。第２の複式ブラケット４０の各々の第１の端部は、第１と第２の連結リンク６６、６８を介して作業機械１４に連結されている。これにより、第と第２のリンク集成体２８、３０が直接的に作業機械１４に連結される。
【００１２】
図４、５を特に参照すると、バケット１２は第１と第２と第３と第４のブラケット７０、７２、７４、７６を有している。第１のリフトアーム集成体１６の第２の端部２６は、第１と第２のブラケット７０、７２の間に配設され、かつ、第１と第２のブラケット７０、７２に連結される。第２のリフトアーム集成体１８の第２の端部３４は、第３と第４のブラケット７４、７６の間に配設され、かつ、第２と第４のブラケット７４、７６に連結される。リフトアーム集成体１６、１８が拡開し、かつ、リンク集成体２８、３０が平行に配設されているので、第１の複式ブラケット３８の各々の第１の端部３４は第２と第３のブラケット７２、７４の上に跨設され、かつ、該第２と第３のブラケット７２、７４に連結される。
【００１３】
本発明は特にバックホーローディング機械、トラックローディング機械、ホイールローティング機械等の作業機械に適している。上記作業機械は、前部に配設されたバケットを有している。このバケットは、貯蔵された物をトラックに積み込んだり、物を埋めたり、廃棄物処理現場へ物を移送したり、建設現場からバラの資材を除去または移送することを含む作業機能に対して使用される。バケットを作業機械に連結するリフトアーム・リンク機構が作業機械の操作者の前方に配置されているので、バケットの前方の先端や角を目視することは困難である。本発明では、第１と第２のリフトアーム集成体１６、１８と、第１と第２のリンク集成体２８、３０が、狭い幅または第１の距離（ｄ）を以て互いに離間して作業機械に連結されている。リフトアーム集成体１６、１８が、作業機械１４の中心線３６に対して互いに拡開して、外方に延設されてバケット１２に連結されている。第１と第２のリフトアーム集成体１６、１８は第２の距離（Ｄ）を以て拡開してバケット１２に連結されており、第２の距離（Ｄ）は、第１の距離（ｄ）よりも著しく大きな距離となっている。第１と第２のリフトアーム集成体１６、１８は作業機械１４の中心線３６に対して拡開しているが、第１と第２のリンク集成体２８、３０は中心線３６に対して概ね平行となっている。これを実現するために、第１と第２の案内リンク５２、５４が、第１と第２のリフトアーム集成体１６、１８を第１と第２のリンク集成体２８、３０の各々に連結している。第１と第２の案内リンク５２、５４は、第１と第２のリンク集成体２８、３０の各々に対して概ね一直線上に配設され、かつ、第１と第２のリフトアーム集成体１６、１８に対してはオフセットされている。これにより、第１と第２のリフトアーム集成体１６、１８は作業機械１４との連結点において狭くなっており、操作者に良好な視界を与える。
【００１４】
本発明の他の特徴、目的、利点は、図面、発明の詳細な説明、特許請求の範囲から明らかとなる。
【図面の簡単な説明】
【図１】作業機械と作業具との間に連結されたリフトアーム・リンク機構の側面図である。
【図２】リフトアーム・リンク機構の平面図である。
【図３】リフトアーム・リンク機構の正面図である。
【図４】リフトアーム・リンク機構を背面側上方から見た斜視図である。
【図５】リフトアーム・リンク機構を正面側上方から見た斜視図である。
【符号の説明】
１０…リフトアーム・リンク機構
１２…バケット
１４…作業機械
１６…第１のリフトアーム集成体
１８…第２のリフトアーム集成体
２４…リフトアームの第１の端部
２６…リフトアームの第２の端部
２８…第１のリンク集成体
３０…第２のリンク集成体
【図１】
0003730291.tif 000002
【図２】
0003730291.tif 000003
【図３】
0003730291.tif 000004
【図４】
0003730291.tif 000005
【図５】
0003730291.tif 000006